(57)【要約】      （修正有）【課題】見栄えがよく厳粛な雰囲気を醸し出し、故人を偲ぶ気持ちを高めると共に、周囲から確実に法名等を確認でき、別の法要でも繰り返し使用できる法名・戒名立てを提供する。【解決手段】法名・戒名立ては、表示窓１と枠体２の外面から表示窓１まで続く挿入孔３とを有する枠体２と、挿入孔３を塞ぐ蓋体４と、挿入孔３より挿入して表示窓１に配置される透明なケース５とからなり、枠体２の内面にはケース５をスライド自在に挿入可能とするガイド６を設け、ケース５内に法名７または戒名７を表示する表示部材８を収めることを特徴としている。【選択図】図１
0003154351.tif 000002
【実用新案登録請求の範囲】
【請求項１】
表示窓（１）と枠体（２）の外面から表示窓（１）まで続く挿入孔（３）とを有する枠体（２）と、挿入孔（３）を塞ぐ蓋体（４）と、挿入孔（３）より挿入して表示窓（１）に配置される透明なケース（５）とからなり、枠体（２）の内面にはケース（５）をスライド自在に挿入可能とするガイド（６）を設け、ケース（５）内に法名（７）または戒名（７）を表示する表示部材（８）を収めることを特徴とする法名・戒名立て。
【請求項２】
前記枠体（２）にフック（１２）を備えたことを特徴とする請求項１記載の法名・戒名立て。
【考案の詳細な説明】
【技術分野】
【０００１】
本考案は、故人の法名または戒名を表示する法名・戒名立てに関するものである。
【背景技術】
【０００２】
浄土真宗等における法事等の法要では、一般的に、縦長の用紙に墨書きした法名を、錘で祭壇に固定し、祭壇から垂らした状態で供える。このような法名の表示は、故人を偲ぶ作法の一環であると共に、お寺等の会場において複数の法要が行われている場合には、他の法要と区別するための目印ともなる。
【０００３】
しかしながら、上記の法名を記載した用紙が祭壇等から垂らされる様子は、見栄えが良くなく素気ないものであり、法要等が粗末に感じられ、故人を偲ぶ気持ちを高めさせるというものではなかった。
また、祭壇から垂らされた法名は、祭壇が低い場合には周囲から見え難く、会場で複数の法要が同時に行われている場合には、会場が分かり難いという問題もあった。
【考案の概要】
【考案が解決しようとする課題】
【０００４】
そこで本考案は上記課題を解決するためになされたものであり、見栄えがよく厳粛な雰囲気を醸し出し、故人を偲ぶ気持ちを高めると共に、周囲から確実に法名等を確認でき、別の法要でも繰り返し使用できる法名・戒名立てを提供することを目的とする。
【課題を解決するための手段】
【０００５】
本考案に係る法名・戒名立ては、表示窓と枠体の外面から表示窓まで続く挿入孔とを有する枠体と、挿入孔を塞ぐ蓋体と、挿入孔より挿入して表示窓に配置される透明なケースとからなり、枠体の内面にはケースをスライド自在に挿入可能とするガイドを設け、ケース内に法名または戒名を表示する表示部材を収めることを特徴としている。
【０００６】
これによると、ケースは枠体にスライド自在に挿入または取り出し可能であり、挿入したケースは表示窓に配置される。そして、ケースには法名等を表示する表示部材が収められており、表示窓より法名等が表示されることとなる。
表示部材は、出し入れ自在にケースに収めることができる。よって、別の法名等を記載した表示部材に取り替えて使用することができる。
蓋体は、枠体の挿入孔が設けられた面に着脱自在に装着できるものとする。ここで、蓋体が枠体から外れないようにするために、枠体または蓋体は、蓋体を枠体に固定する機構を備えていることが望ましい。
そして、上記の特徴を有する本考案は、お寺等で行われる法要において、祭壇等に設置して使用する。
なお、本考案は様々な宗派の法要等で使用することができ、表示部材には、法名に限らず戒名を表示することもできる。また、表示部材に、法名もしくは戒名と共に俗名を表示すると、故人を確実に特定することができる。なお、文中で「法名等」という場合は、法名、戒名またはこれらと共に表示した俗名を表すものとする。
【０００７】
さらに、本考案に係る法名・戒名立ては、その枠体にフックを備えることもできる。
【０００８】
これによると、法名７が記された法名軸や掛け軸等をフックに掛け、これらを枠体の前面に垂らして使用することもできる。
なお、フックは、法名軸等の掛緒を掛けることができるものであればよく、その形態や枠体への取り付け位置等は特に限定されるものではない。
【考案の効果】
【０００９】
本考案によると、厳粛な雰囲気が醸し出されるので、法要が引き締まり、供養をする人々の故人を偲ぶ気持ちや冥福を祈る気持ちが高められる。また、法要も、外見的に体裁が整い、立派なものになる。
また、本考案は、周囲からはっきりと確認することができるので、法要の会場であることを示す案内表示的な役割も果たす。よって、来場者が会場を間違えることがなくなる。
さらに、本考案によると、法名等が記載された表示部材を容易に取り替えることができるので、法名等を書き換えた別の表示部材を用いることにより、別の法要等で繰り返し使用することができる。特に、お寺等において同日に複数の法要が行われる場合には、法要を行った後に表示部材を短時間で取り替えられ、すぐに次の法要で使用することができるので非常に有効である。
また、枠体にフックを備えると、法名軸や掛け軸等を枠体の前面に垂らして使用することもできる。
【図面の簡単な説明】
【００１０】
【図１】本考案に係る法名・戒名立ての実施形態を示す斜視図。
【図２】本考案に係る法名・戒名立ての実施形態を示す正面図。
【図３】ケースおよび表示部材を示す正面図。
【図４】本考案に係る法名・戒名立ての別の実施形態を示す側面図。
【図５】本考案に係る法名・戒名立ての別の実施形態を示す正面図。
【考案を実施するための形態】
【００１１】
以下、本考案に係る法名・戒名立ての実施形態について、図面を用いて説明を行う。図１および図２は、本考案に係る法名・戒名立ての実施形態を表し、その構成のうちのケースおよび表示部材を図３に示す。本考案は、大きくは枠体２、蓋体４、ケース５および表示部材８により構成されている。
【００１２】
枠体２は、木材等により形成した矩形の枠体２であり、その内面の内側には、前後方向に貫通する表示窓１を設けている。また、枠体２に後述するケース５を挿入して、ケース５を表示窓１に配置するために、枠体２の上面から表示窓１にかけて、ケース５を挿入できる幅と厚さを備える挿入孔３を設けている。また、ケース５の幅を表示窓１の幅よりやや広いものとして、枠体２の内面の両側面にケース５の厚さと同程度の幅であって挿入孔３と連通する溝６，６を設け、内面の下面においても、側面と同様の溝６を、側面の溝６，６と連通するように設けている。また、枠体２の上面の左右端付近には、蓋体４を固定するための凹部９，９を形成している。
なお、祭壇等において枠体２を安定的に設置するために、枠体２の下部に土台１１を設けるものであってもよい。また、表示窓１を貫通させないで後面を残し、後面に立て掛けスタンドを設けるものであってもよい。挿入孔３については、上面に限らず、側面から形成するものであってもよい。
【００１３】
蓋体４は、枠体２の上面を塞ぐ程度の形状および大きさに形成する。また、蓋体４の下面には、枠体２の凹部９，９の形態に対応する二つの凸部１０，１０を設けている。これにより、蓋体４を枠体２に取り付ける際、蓋体４の凸部１０，１０を枠体の凹部９，９に嵌め合わせて、蓋体４を枠体２に固定することができる。なお、蓋体４は、枠体２と同一の素材で形成すると、全体的に一体感が生まれ、見栄えや体裁がよくなる。なお、土台１１やスタンドの素材についても同様である。
【００１４】
ケース５は、矩形でかつ板状の形態とし、ケース５内にシート状の表示部材８を収めることのできる空間を備えるように形成する。なお、ケース５内に収容した表示部材８の法名７等が見えるように、ケース５は、例えば透明な樹脂等、透明な素材により形成する。
【００１５】
表示部材８は、法名７等を表示するものであり、例えば紙類等のシート状のものに法名等７を記入して使用する。
【００１６】
次に、上述した実施形態の使用方法について説明する。
まず、表示部材８に法名７等を記入し、これをケース５内に収容しておく。次いで、蓋体４を枠体２から取り外し、法名７等が表示されている部分を前面としてケース５を枠体２の挿入孔３に挿入する。ケース５を挿入孔３および溝６，６に伝わせその底面が枠体２に当接するまでスライド移動させると、表示窓１にケース５が配置され、法名７等が表示窓１に表示されることとなる。最後に、蓋体４を枠体２に被せると、法名・戒名立てとして使用する準備が整う。
【００１７】
本考案による法名・戒名立ては、主にお寺の法要等において、祭壇や仏壇等に設置して使用する。これにより、厳粛な雰囲気が醸し出され、法要が引き締まり、供養をする人々の故人を偲ぶ気持ちや冥福を祈る気持ちが高められる。
また、本考案は、法名７等が表示される表示部材８を取り換えることができるので、別の法要等においても繰り返し使用することができる。このため、お寺等において同日に複数の法要が行われる場合には、法要を行った後に短時間で別の法名７等を表示する表示部材８に取り替えてすぐに次の法要に使用できるので非常に有効である。
なお、表示部材８が取り換え可能なことから、さまざまな宗派の法要等に使用することができる。
【００１８】
本考案の別の実施形態を図４および図５に示す。この形態は前記実施形態の枠体２にフック１２を取り付けたものである。これによると、法名７が記された法名軸１３等をフック１２に掛け、法名軸１３を枠体２の前面に垂らして使用することもできる。なお、フック１２の形態およびその取り付け位置は、特に限定されるものではない。
【００１９】
以上に示した本考案に係る実施形態は、枠体２に螺鈿細工を施したり、金装飾を施したりするものであってもよい。このようにすると、厳粛な雰囲気に加えて、荘厳な雰囲気等も醸し出されることとなる。
【００２０】
なお、本考案は上記実施形態に限定されるものではなく、本考案の思想の範囲内で枠体２、蓋体４、ケース５および表示部材８等の形態や材料等を自由に変更することができる。
【符号の説明】
【００２１】
１…表示窓、２…枠体、３…挿入孔、４…蓋体、５…ケース、６…溝（ガイド）、７…法名（戒名）、８…表示部材、９…凹部、１０…凸部、１１…土台、１２…フック、１３…法名軸
【図１】
0003154351.tif 000003
【図２】
0003154351.tif 000004
【図３】
0003154351.tif 000005
【図４】
0003154351.tif 000006
【図５】
0003154351.tif 000007